(57)【要約】【課題】小嵩、軽量でありながら十分なクッション性を確保することができ、良好な使用感が得られる便座シートを提供する。【解決手段】便座シート１は、連続気泡を有する発泡樹脂材料製の芯体２と、気密性を有し、芯体２の外側を覆う外装体３とを備える。芯体２自体の弾性と、芯体２の気泡中に含まれ、外装体３により封止された空気の弾性とにより軽量下で十分なクッション性を確保する。外装体３の一部には、内外を連通し、開閉可能な通気口を設け、通気口を開放して空気を排出することで芯体２の厚さを減じ、小嵩化を実現する。【選択図】図４
0003212226.tif 000002
【実用新案登録請求の範囲】
【請求項１】
便座の座部を覆うように装着される便座シートにおいて、
前記座部に対応する湾曲形状を有し、連続気泡を有する発泡樹脂材料製の芯体と、
気密性を有し、前記芯体の外側を覆う外装体と、
該外装体の一部を内外に連通し、開閉可能な通気口と
を備えることを特徴とする便座シート。
【請求項２】
前記外装体は、
非通気性材料製の基材及び表面材を備え、
前記芯体の両側で重なる前記基材及び表面材の周縁部を気密に封止して構成してある請求項１に記載の便座シート。
【請求項３】
前記便座への装着時に前記座部に接触する前記基材の外面に滑り止め層を備える請求項２に記載の便座シート。
【請求項４】
前記便座への装着時に上向きとなる前記表面材の外面に布地層を備える請求項２に記載の便座シート。
【請求項５】
前記外装体の両側に突設され、前記便座への装着時に該便座の裏側で相互に係合可能な締め付けベルトを備える請求項１から請求項４のいずれか１つに記載の便座シート。
【請求項６】
前記締め付けベルトは、前記外装体の両側から外向きに張り出し、前記便座への装着時に該便座の側縁を覆う覆い片に固着してある請求項５に記載の便座シート。
【考案の詳細な説明】
【技術分野】
【０００１】
本考案は、便座の座部を覆うように装着して使用する便座シートに関する。
【背景技術】
【０００２】
洋式便器の便座には、着座時の触感を良好にすることを目的として、便座シート（便座カバー）が装着されることがある。近年においては、温熱、洗浄、消臭等の付加機能を有し、形態が種々に異なる便座が存在しており、これらの便座に共通して使用し得る便座シートが提案されている（例えば、特許文献１参照）。
【０００３】
この便座シートは、弓形の湾曲形状を有しており、便座への着座時に身体に接触する左右の座部を夫々覆うように装着される。特許文献１に記載の便座シートは、更に、座部に載置される基材と該基材を載置面と逆側から覆う表面生地との間にクッション性を有する芯体を介装し、表面生地の触感と共に芯体のクッション性を使用者に体感させ、使用感の改善を図っている。
【先行技術文献】
【特許文献】
【０００４】
【特許文献１】実用新案登録第３１７８６８８号公報
【考案の概要】
【考案が解決しようとする課題】
【０００５】
特許文献１に記載の便座シートは、クッション性を有する芯体の作用により、硬質の便座に着座する際の身体的負担を和らげることができ、特に、高齢者に有用である。芯体としては、ポリウレタンフォーム、低反発材の採用が例示されており、所望のクッション性を確保するためには、１０〜３０ｍｍの厚さが必要であるとされている。
【０００６】
しかしながら、ポリウレタンフォームを芯体として用いた場合、１０〜３０ｍｍの厚さであっても所望のクッション性は得られない。一方、低反発材を芯体として用いた場合、１０〜３０ｍｍの厚さで十分なクッション性を確保し得るが、商品としての嵩及び重量が大きく、保管、搬送コストが増大する上、例えば、旅行先での使用を想定して携行することが難しいという問題がある。
【０００７】
本考案は斯かる事情に鑑みてなされたものであり、小嵩、軽量でありながら十分なクッション性を確保することができ、良好な使用感が得られる便座シートを提供することを目的とする。
【課題を解決するための手段】
【０００８】
本開示の実施形態に係る便座シートは、便座の座部を覆うように装着される便座シートにおいて、前記座部に対応する湾曲形状を有し、連続気泡を有する発泡樹脂材料製の芯体と、気密性を有し、前記芯体の外側を覆う外装体と、該外装体の一部を内外に連通し、開閉可能な通気口とを備える。
【０００９】
また前記外装体は、非通気性材料製の基材及び表面材を備え、前記芯体の両側で重なる前記基材及び表面材の周縁部を気密に封止して構成してある。
【００１０】
また前記便座への装着時に前記座部に接触する前記基材の外面に滑り止め層を備える。
【００１１】
また前記便座への装着時に上向きとなる前記表面材の外面に布地層を備える。
【００１２】
また前記外装体の両側に突設され、前記便座への装着時に該便座の裏側で相互に係合可能な締め付けベルトを備える。
【００１３】
更に前記締め付けベルトは、前記外装体の両側から外向きに張り出し、前記便座への装着時に該便座の側縁を覆う覆い片に固着してある。
【考案の効果】
【００１４】
本開示の実施形態においては、発泡樹脂材料製の芯体自体の弾性と共に、この芯体の連続気泡中に含まれる空気の弾性により、軽量でありながら十分なクッション性を確保することができ、また通気口を開放して外装体内の空気を排出することで、連続気泡の潰れにより芯体の厚さを減じて小嵩にすることができ、保管、搬送コストを削減し、携行の容易性を実現することができる。
【図面の簡単な説明】
【００１５】
【図１】実施の形態に係る便座シートの斜視図である。
【図２】実施の形態に係る便座シートの平面目である。
【図３】実施の形態に係る便座シートの平面目である。
【図４】図２のIV−IV線による便座シートの断面図である。
【図５】図３のＶ−Ｖ線による通気口の開設部位の拡大断面図である。
【図６】便座シートの嵩を増減する手順の説明図である。
【図７】便座シートの使用状態の説明図である。
【図８】便座シートの使用状態の説明図である。
【考案を実施するための形態】
【００１６】
以下、本考案の実施の形態について説明する。図１は、実施の形態に係る便座シートの斜視図、図２、図３は、実施の形態に係る便座シートの平面目、図４は、図２のIV−IV線による便座シートの断面図である。
【００１７】
これらの図に示す如く便座シート１は、芯体２（図４参照）と、該芯体２の外側を覆う外装体３とを備え、後述の如く装着される便座の座部に対応する弓形の湾曲形状を有している。芯体２は、例えば、発泡ウレタン等、相互に連続する多数の気泡を有する発泡樹脂材料製であり、適宜の厚さを有するブロック状に成形されている。
【００１８】
外装体３は、基材４と表面材５とを備えている。図２は、表面材５の側からの便座シート１の平面図であり、図３は、基材４の側からの便座シート１の平面図である。
【００１９】
基材４は、ＴＰＵ（熱可塑性ポリウレタンエラストマ）、ＰＶＣ（ポリ塩化ビニール）等、通気性を有しない非通気性材料製のシートであり、後述する便座の座部を覆い得る長さ及び幅を有している。基材４の外面には、図３に示す如く滑り止め層４０が設けられている。滑り止め層４０は、例えば、摩擦係数が高いシリコンを適宜のパターンでプリントすることで形成される。図３には、横縞模様のパターンが示されているが、商品名等の文字パターンを形成することで意匠性を高めることができる。また滑り止め層４０は、吸着機能を有する層であってもよい。この種の滑り止め層４０は、例えば、微小な吸盤状凹部が表面に多数形成された軟質アクリル樹脂製のシートを基材４の外面に接着固定して設けられる。
【００２０】
表面材５は、基材４と同様、非通気性材料製のシートであり、基材４よりも大きい幅及び長さを有している。表面材５の外面は、図２に示す如く、略全面に亘って布地層５０により覆ってある。布地層５０は、例えば、肌触りの良好な布地を表面材５の外面に接着固定して設けられる。
【００２１】
外装体３は、滑り止め層４０を外向きとした基材４の内面に芯体２を載置し、これらに布地層５０を外向きとした表面材５を被せ、芯体２の両側で重なる基材４及び表面材５の周縁部を適幅に亘って気密に封止して、図４に示す如く構成されている。なお、基材４及び表面材５が、前述したＴＰＵ、ＰＶＣ製のシートである場合、周縁の封止は、熱融着により良好な気密性を保って確実に実現することができる。
【００２２】
以上により、多数の連続気泡を有する発泡樹脂材料製の芯体２を、気密性を有する外装体３により覆ってある便座シート１が構成される。この便座シート１は、外力の作用に対し、芯体２自体の弾性と共に、該芯体２の気泡中に含まれる空気の弾性を発現するから、良好なクッション性を確保することができる。なお芯体２は、前述した外装体３の構成に際し、基材４及び表面材５の内面に接着固定しておくのが望ましい。これにより、外力の作用時における外装体３内での芯体２の位置ずれを防止し、便座シート１の形状を安定して保つことが可能となる。
【００２３】
また便座シート１は、長さ方向の中央部に、外装体３の両側部から外向きに張り出す舌状の覆い片３０、３０を備えている。一方の覆い片３０には、外向きに突出する締め付けベルト６が固着され、他方の覆い片３０には、同様の締め付けベルト６が、ゴム帯６０を介して固着されている。これらの締め付けベルト６、６は、夫々の相異なる面に面ファスナー６１、６１を有しており、これらの面ファスナー６１、６１の係合により、基材４の側でリング状をなして連結することができる。なお覆い片３０、３０は、基材４及び表面材５の一方又は両方と一体をなして設けることができる。
【００２４】
更に便座シート１は、通気口７を備えている。通気口７は、図３に示す如く、基材４の一側端部近傍に外装体３の内外を連通するように開設され、栓体７０により開閉可能としてある。なお図２中には、通気口７の位置を破線により示してある。
【００２５】
図５は、図３のＶ−Ｖ線による断面図であり、通気口７の開設部位を拡大して示してある。本図に示す通気口７は、栓体７０と一体に成形された樹脂製のパイプを基材４に出没可能に取り付けて構成されている。この構成は、浮き袋、エアマット等の空気吹込み口として広く採用されている。
【００２６】
図５Ａは、基材４の外側にパイプを引き出して栓体７０を外し、通気口７を開放した状態を示している。この状態では、通気口７を通して外装体３の内外間での通気が可能である。図５Ｂは、栓体７０を嵌めて基材４の内部にパイプを押し込み、通気口７を閉止した状態を示している。この状態では、外装体３の内外間での通気は遮断される。
【００２７】
便座シート１の嵩は、以上の如き通気口７の開閉を利用して増減することができる。図６は、便座シート１の嵩を増減する手順の説明図である。便座シート１の嵩を減じる場合、栓体７０を外して通気口７を開放し、図６Ａ中に白抜矢符により示す如く、便座シート１に外側から圧縮力を加える。これにより芯体２の気泡に含まれる空気は、図６Ａ中に矢符により示す如く、開放された通気口７を通して連続して排気され、芯体２の厚さが各気泡の潰れにより減少する結果、便座シート１の嵩は、図６Ｂに示す如く小さくなる。
【００２８】
通気口７による通気は、栓体７０を嵌めることで遮断されるから、便座シート１は、圧縮後に通気口７を閉止することで小嵩状態を保つ。従って、保管及び搬送に必要なコストを削減することができ、更には、旅行先での使用等を想定した携行に対応することができる。なお、前述した排気は、便座シート１を通気口７の開設位置の逆側の端部から丸める操作により実現することができる。
【００２９】
小嵩となった便座シート１を使用する場合、栓体７０を外して通気口７を開放する。通気口７が開放された場合、図６Ｃ中に矢符により示す如く、通気口７を通して外装体３内への通気が生じ、便座シート１の嵩は、芯体２の気泡中に順次空気が満たされることで増大し、便座シート１は、図６Ａに示す状態に復元する。外装体３内への通気は、内外間の圧力差により生じるから、通気口７への空気の吹込みは不要である。
【００３０】
復元した便座シート１は、通気口７を閉止することにより形状を維持し、前述の如く、芯体２自体の弾性及び連続気泡中に含まれる空気の弾性とにより良好なクッション性を発現する。なお通気口７は、図５に示す構成に限らず、外装体３を内外に連通し、開閉可能であれば適宜の構成を採用することができる。
【００３１】
図７、図８は、便座シート１の使用状態の説明図である。便座シート１は、洋式便器１０の便座１１に図示の如く装着して使用される。図示の便座１１は、便器１０開口縁を全面に亘って覆うＯ形の形状を有し、温熱、洗浄、消臭等の付加機能を実現する機能ボックス１２を一側部に備える機能便座として構成されている。
【００３２】
便座シート１の湾曲形状は、便座１１の座部、即ち、着座する使用者の身体に接触する左右の湾曲部分に対応しており、対象形状を有する２つの便座シート１、１を左右の座部を夫々覆うように装着して使用される。このように装着される便座シート１は、便座１１の形状（Ｏ形、Ｕ形等）の如何に拘わらず、また機能ボックス１２の有無及び位置の如何に拘わらず適用可能である。
【００３３】
便座シート１は、図７に示す如く、布地層５０を備える表面材５を上向きとし、便座１１の座部に沿わせて載置する。このとき便座１１の座部には、基材４に設けられた滑り止め層４０が接触するから、便座シート１は、滑り止め層４０の作用により便座１１上に容易に仮止めすることができる。この仮止めは、前述の如く吸着機能を有する滑り止め層４０を設けることで強化し得る。
【００３４】
便座シート１は、中央部の両側に設けられた締め付けベルト６、６により固定される。締め付けベルト６、６は、夫々の基部の覆い片３０、３０と共に便座１１の裏側に回し、図８に示す如く、夫々の面ファスナー６１、６１を係合させて連結され、便座シート１を便座１１に締め付け固定する。
【００３５】
一方の締め付けベルト６は、基部にゴム帯６０を備えており、締め付けベルト６、６による締め付け固定は、ゴム帯６０を伸ばしながら面ファスナー６１、６１を係合させることにより強固に実現される。なお締め付けベルト６、６の係合は、面ファスナー６１、６１に限らず、フック及びリングの組み合わせ、ボタン及びボタン孔の組み合わせ等、他の構成により実現してもよい。
【００３６】
この締め付けに際し覆い片３０、３０は、図７、８に示す如く、夫々の位置で便座１１の内側縁及び外側縁を適長に亘って覆う。これにより、便座シート１に着座する使用者の身体の一部が便座１１の内側縁又は外側縁に接触する虞を軽減することができる。
【００３７】
このように固定された便座シート１は、前述の如く、芯体２自体の弾性、及び芯体２が備える連続気泡中に含まれる空気の弾性により良好なクッション性を発現するから、便座１１に着座する使用者の身体的負担を和らげることができ、特に、高齢者に有用である。便座シート１の上面には、表面材５に設けた布地層５０が位置しており、使用者に布地層５０の肌触りを体感させ、良好な使用感を付与することができる。
【００３８】
なお、今回開示された実施の形態は、すべての点で例示であって制限的なものではないと考えられるべきである。本考案の範囲は、上記した意味ではなく、実用新案登録請求の範囲によって示され、実用新案登録請求の範囲と均等な意味および範囲内でのすべての変更が含まれることが意図される。
【符号の説明】
【００３９】
１    便座シート
２    芯体
３    外装体
４    基材
５    表面材
６    締め付けベルト
７    通気口
３０  覆い片
４０  滑り止め層
５０  布地層
【図１】
0003212226.tif 000003
【図２】
0003212226.tif 000004
【図３】
0003212226.tif 000005
【図４】
0003212226.tif 000006
【図５】
0003212226.tif 000007
【図６】
0003212226.tif 000008
【図７】
0003212226.tif 000009
【図８】
0003212226.tif 000010